(57)【要約】【課題】本発明は、吸込仕事率を向上させ、濾過フィルターの広範囲にわたって除塵が行われる電気掃除機を提供する。【解決手段】電動送風機５０３を内蔵する掃除機本体２０４と、上流部に塵埃を含んだ気流を濾過集塵する濾過フィルター４０２ａと、を有する集塵ケース４０１を備えた電気掃除機２００において、電動送風機５０３と集塵ケース４０１の間には、濾過フィルター４０２ａに振動を附与する除塵ユニット体１００と、を更に備え、除塵ユニット体１００には、濾過フィルター４０２ａの上側部位に除塵振動を付与する第１除塵手段部１０１０と、濾過フィルター４０２ａの下側部位に除塵振動を付与する第２の除塵手段部１０２０、および濾過フィルター４０２ａの中央部近傍に除塵振動を付与する第３除塵手段１０３０を有することを特徴とする。【選択図】  図７
2013009880.tif 000002
【特許請求の範囲】
【請求項１】
電動送風機を内蔵する掃除機本体と、前記電動送風機の上流部に塵埃を含んだ気流を濾過集塵する濾過フィルターが縦に置かれる集塵部を有する電気掃除機において、
前記集塵部と前記電動送風機の間には、前記濾過フィルターの集塵面の反対側より除塵振動を附与する除塵機構を有し、
前記除塵機構を駆動するための駆動手段と、を更に備え、
前記除塵機構は、前記濾過フィルターの略上側部に除塵振動を附与する第１の除塵手段と、前記濾過フィルターの略下側部に除塵振動を附与する第２の除塵手段と、前記濾過フィルターの略中央部近傍部に除塵振動を附与する第３の除塵手段を有すること、
を特徴とする電気掃除機。
【請求項２】
前記除塵機構において、
前記第１の除塵手段，前記第２の除塵手段、および前記第３の除塵手段は前記駆動手段にて連動し、前記濾過フィルターに対し、同時に除塵振動を附与しないこと、
を特徴とする請求項１に記載の電気掃除機。
【請求項３】
前記除塵機構において、
前記第１の除塵手段，前記第２の除塵手段、および前記第３の除塵手段は除塵支持枠体により除塵ユニット体を成し、
前記第１の除塵手段、および前記第２の除塵手段は、一端を弾性部材により係着した格子状の揺動部材で形成され、
前記駆動手段の動作により、前記第１の除塵手段の他端、および前記第２の除塵手段の他端を共働させることにより、前記第３の除塵手段が形成され、前記濾過フィルターの略中央部近傍部に除塵振動を附与し、
前記駆動手段の更なる動作により、前記第１の除塵手段の一端は、前記弾性部材の付勢により前記濾過フィルターの略上側部に除塵振動を附与し、
前記第２の除塵手段の一端は、前記弾性部材の付勢により前記濾過フィルターの略下側部に除塵振動を附与すること、
を特徴とする請求項１または請求項２に記載の電気掃除機。
【請求項４】
前記除塵ユニット体は前記本体より取り外し自在に装着され、
前記濾過フィルターを抜けた微細塵が捕集される保護フィルターを、前記除塵ユニット体と前記電動送風機との間に介在したこと、
を特徴とする請求項３に記載の電気掃除機。
【発明の詳細な説明】
【技術分野】
【０００１】
本発明は、濾過フィルターに付着した塵埃の除去を行う除塵機構を備えた電気掃除機に関するものである。
【背景技術】
【０００２】
この種の電気掃除機は、電動送風機を駆動して吸引力を発生させ、発生した吸引力により空気とともに吸い込んだ塵埃を掃除機本体に吸い込み、吸い込んだ空気から塵埃を集塵ケースにて捕集するものである。
【０００３】
電気掃除機の集塵能力を示す指標として、電気掃除機の空気を吸い込む能力を示す「吸込仕事率」（ＪＩＳ・Ｃ・９１０８参照）が知られており、電気掃除機の吸込仕事率の向上が求められている。
【０００４】
また、捕集した塵埃が集塵ケースの濾過フィルターに付着して、フィルターが目詰まりをおこし、吸引力が低下することが知られている。
【０００５】
特許文献１は、濾過フィルターの上側部位に集塵面の反対側より除塵振動を付与する第１除塵手段と、濾過フィルターの下側部位に集塵面の反対側より除塵振動を付与する第２除塵手段とを備えるものが記載されている。
【０００６】
特許文献１に記載された電気掃除機によれば、集塵ケースの波形状のフィルターを広範囲にわたって除塵することができ、波形状のフィルターの目詰まりによる吸込仕事率の低下を抑制させることができる。
【０００７】
特許文献２は、電動送風機と除塵駆動体を内蔵する掃除機本体と、フィルターユニットとを備え、フィルターユニットは塵埃を捕集するフィルターを取着した枠体と、フィルターの下流側に位置すると共に一端が前記枠体に固定された除塵板を有し、前記除塵駆動体を動作させて前記除塵板の他端を空気の流れと同方向に弾き、その反発力で前記枠体に衝撃を与えるものが記載されている。
【０００８】
特許文献２に記載された電気掃除機によれば、除塵板を弾き、フィルターユニットに瞬間的な衝撃を与えることにより、フィルターに付着した塵埃が効果的にふるい落とされフィルターの濾過能力が復活すると共に、フィルターに除塵板が直接衝撃を与えないのでフィルターが破損することが無く、寿命も長いことを特徴としている。
【先行技術文献】
【特許文献】
【０００９】
【特許文献１】特開２００８−３０７３１７号公報
【特許文献２】特開２００６−６１５３７号公報
【発明の概要】
【発明が解決しようとする課題】
【００１０】
特許文献１に記載の電気掃除機では、集塵室の背面側壁面に、集塵室と電動送風機とを連通するように開口部が形成されている。
【００１１】
しかしながら、特許文献１に記載の技術では、集塵ケースを収納する集塵室の背面側壁面の横幅方向の略全幅にわたって第１除塵手段が設けられている。このため、開口部の開口面積を大きくすることができないことから、吸込仕事率を大きくすることができなくなる恐れがある。
【００１２】
更に特許文献１に記載の技術では、第１除塵手段と第２除塵手段の２つの除塵機構によって濾過フィルター全面を除塵していることから、除塵機構を駆動させるための動力が増大する恐れがある。
【００１３】
特許文献２に記載の電気掃除機では、フィルターに伝達される除塵板による衝撃は、下側部位の一部であるので、フィルター全体の塵埃を除去できず除塵が一部に偏ってしまう恐れがある。
【００１４】
本発明の目的は、吸込仕事率の向上を図りながら、濾過フィルターの広範囲にて除塵が行われる電気掃除機を提供することである。
【００１５】
また、本発明の目的は、除塵するための動力を軽減した除塵機構を有する電気掃除機を提供することである。
【００１６】
また、本発明の目的は、除塵作用が濾過フィルター全体に伝わり、ムラ無く、濾過フィルター内に存する塵埃が除去できる電気掃除機を提供することである。
【課題を解決するための手段】
【００１７】
本発明は、
電動送風機を内蔵する掃除機本体と、電動送風機の上流部に塵埃を含んだ気流を濾過集塵する濾過フィルターが縦に置かれる集塵部を有する電気掃除機において、集塵部と電動送風機の間には、濾過フィルターの集塵面の反対側より除塵振動を附与する除塵機構を有し、除塵機構を駆動するための駆動手段と、を更に備え、除塵機構は、濾過フィルターの略上側部に除塵振動を附与する第１の除塵手段と、濾過フィルターの略下側部に除塵振動を附与する第２の除塵手段と、濾過フィルターの略中央部近傍部に除塵振動を附与する第３の除塵手段を有することを特徴とする。
【００１８】
本発明は、
電動送風機を内蔵する掃除機本体と、電動送風機の上流部に塵埃を含んだ気流を濾過集塵する濾過フィルターが縦に置かれる集塵部を有する電気掃除機において、集塵部と電動送風機の間には、濾過フィルターの集塵面の反対側より除塵振動を附与する除塵機構を有し、除塵機構を駆動するための駆動手段と、を更に備え、第１の除塵手段，第２の除塵手段、および第３の除塵手段は前記駆動手段にて連動し、濾過フィルターに対し、同時に除塵振動を附与しないことを特徴とする。
【００１９】
好ましくは、最初に第３の除塵手段により濾過フィルターの略中央部に衝撃を与え、次に第１の除塵手段により濾過フィルターの略上側部に衝撃を与える。そして最後に第２の除塵手段により濾過フィルターの略下側部に衝撃を与える、というように、濾過フィルターに与える衝撃のタイミングを異なるようにする。
【００２０】
本発明は、
電動送風機を内蔵する掃除機本体と、電動送風機の上流部に塵埃を含んだ気流を濾過集塵する濾過フィルターが縦に置かれる集塵部を有する電気掃除機において、集塵部と電動送風機の間には、濾過フィルターの集塵面の反対側より除塵振動を附与する除塵機構を有し、除塵機構を駆動するための駆動手段と、を更に備え、第１の除塵手段，第２の除塵手段、および第３の除塵手段は除塵支持枠体により本体から着脱可能な除塵ユニット体を成し、第１の除塵手段、および第２の除塵手段は、一端を弾性部材により係着した格子状の揺動部材で形成され、駆動手段の動作により、第１の除塵手段、および第２の除塵手段の他端を共働させることにより、第３の除塵手段が形成され、濾過フィルターの略中央部近傍部に除塵振動を附与し、駆動手段の更なる動作により、第１の除塵手段の一端は、弾性部材の付勢により濾過フィルターの略上側部に除塵振動を附与し、第２の除塵手段の一端は、弾性部材の付勢により濾過フィルターの略下側部に除塵振動を附与することを特徴とする。
【００２１】
本発明は、
電動送風機を内蔵する掃除機本体と、電動送風機の上流部に塵埃を含んだ気流を濾過集塵する濾過フィルターが縦に置かれる集塵部を有する電気掃除機において、集塵部と電動送風機の間には、濾過フィルターの集塵面の反対側より除塵振動を附与する除塵機構を有し、除塵機構を駆動するための駆動手段と、を更に備え、除塵機構を成す除塵ユニット体は、本体より取り外し自在に装着され、濾過フィルターを抜けた微細塵が捕集される保護フィルターを、除塵ユニット体と電動送風機との間に介在したことを特徴とする。
【００２２】
好ましくは、着脱可能とする。
【発明の効果】
【００２３】
本発明によれば、除塵機構は、電動送風機の上流部に位置し、空気抵抗とはならない格子状の形状で濾過フィルター全面に形成していることから、通気が損なわれず吸込仕事率の向上を図り、更に濾過フィルターの広範囲にて除塵を行うことができる。
【００２４】
本発明によれば、除塵機構を１つに統一し、濾過フィルターへの除塵振動は衝撃を与えるような構造としたことにより、除塵するための動力の軽減を図ることができる。
【００２５】
本発明によれば、濾過フィルターへ除塵振動を付与するにあたり、第１の除塵手段，第２の除塵手段，第３の除塵手段それぞれが除塵振動を付与するタイミングをずらしていることから、ムラが無く、更に塵埃の再付着が生じにくい除塵効果を得ることができる。
【００２６】
本発明によれば、除塵機構を駆動するための駆動手段が一動作を行うことに連動し、第１の除塵手段，第２の除塵手段，第３の除塵手段が連なって各一動作を行うため、効率のよい除塵効果が得られる。
【図面の簡単な説明】
【００２７】
【図１】本発明の実施例の電気掃除機全体を示す外観斜視図である。
【図２】本発明の実施例の掃除機本体の外観斜視図である。
【図３】本発明の実施例の集塵ケースおよび外装の一部を取り外した掃除機本体の外観斜視図である。
【図４】本発明の実施例の集塵ケースの外観斜視図である。
【図５】本発明の実施例の集塵ケースの中央断面図である。
【図６】本発明の実施例に係る集塵ケースの背面図である。
【図７】本発明の実施例に係る回転伝達機構、および除塵ユニット体を有した状態の区画壁の正面図である。
【図８】本発明の実施例に係る回転伝達機構、および除塵ユニット体を有した図７のＡ−Ａ線断面図である。
【図９】本発明の実施例に係る除塵ユニット体の正面図である。
【図１０】本発明の実施例に係る回転伝達機構、および除塵ユニット体の動作を表わした図７のＢ−Ｂ線略断面図である。
【図１１】本発明の実施例に係る回転伝達機構、および除塵ユニット体の動作を表わした図７のＣ−Ｃ線略断面図である。
【図１２】本発明の実施例に係る区画壁、および除塵ユニット体の斜視図である。
【発明を実施するための形態】
【００２８】
以下、本発明を実施するための形態（以下「実施形態」という）について、適宜図面を参照しながら詳細に説明する。
【００２９】
＜電気掃除機２００＞
図１は、本発明の実施例の電気掃除機２００の全体を示す外観斜視図である。
【００３０】
図１に示すように、電気掃除機２００は、掃除機本体２０４と、ホース２０３と、手元操作スイッチＳＷ等が設けられた操作管２０５と、継手管としての延長管２０２と、吸口２０１および吸込具２０６とを備えて構成されている。吸口２０１の根元部に吸込具２０６の先端部が接続され、吸込具２０６の根元部に延長管２０２の先端部が接続され、延長管２０２の根元部に操作管２０５の先端部が接続され、操作管２０５の根元部にホース２０３が接続され、ホース２０３の根元部が掃除機本体２０４の前端部に接続される。なお、吸込具２０６は、延長管２０２と操作管２０５との間に接続してもよい。
【００３１】
掃除機本体２０４の内部には、吸引力を発生させる電動送風機５０３（図３参照）や、この電動送風機５０３の吸引力で吸引した塵埃を捕集する集塵ケース４０１（図２参照）等が内蔵されており、操作管２０５に設けられた手元操作スイッチＳＷの操作等によって電動送風機５０３の運転の強弱等が切り替えられるようになっている。
【００３２】
＜掃除機本体２０４＞
図２は、本発明の実施例の掃除機本体２０４の外観斜視図である。
【００３３】
図２に示すように、掃除機本体２０４の上面には、開閉自在な蓋体３０７が設けられており、蓋体３０７を開くことにより、集塵ケース４０１が収容される集塵ケース室２１０が露出するようになっている。集塵ケース４０１は、この集塵ケース室２１０に対して着脱自在に設けられており、運転終了後等に定期的に集塵ケース室２１０から取り出される。そして、集塵ケース４０１の内部に捕集された塵埃がごみ箱等に捨てられる。集塵ケース室２１０は、掃除機本体２０４の内部の前側に形成され、電動送風機５０３（図３参照）は、掃除機本体２０４の内部の後側に配置される。
【００３４】
なお、蓋体３０７は、集塵ケース４０１の出し入れ時に開かれ、掃除運転中は、閉じられている。集塵ケース室２１０に対する集塵ケース４０１の着脱方向は、略上下方向であり、集塵ケース室２１０に集塵ケース４０１を収容する際には、集塵ケース４０１の蓋部材４１２が前側に向くようにして集塵ケース室２１０に挿入する。
【００３５】
集塵ケース室２１０における塵埃吸い込み方向の上流側には、吸込んだ塵埃がホース２０３を通じて入ってくる本体吸気口２１１が設けられている。
【００３６】
掃除機本体２０４の後方上側には、掃除機本体２０４から機外に空気を排出する排気口２１２が設けられている。
【００３７】
図３は、本発明の実施例の集塵ケース４０１および外装の一部を取り外した掃除機本体２０４の外観斜視図である。
【００３８】
集塵ケース室２１０の下流側には、電動送風機５０３が配置される電動送風機室５０４を区画する区画壁７００が形成され、この区画壁７００に、集塵ケース２１０に有する濾過フィルター体４０２（図４参照）が対向している。
【００３９】
区画壁７００は、集塵ケース室２１０と電動送風機室５０４とを連通するように開口部７１０が形成されている。また、区画壁７００には集塵ケース４０１の濾過フィルター４０２ａ（図６参照）を除塵するための除塵機構（除塵ユニット体１００）を有している。
【００４０】
なお、区画壁７００の開口部７１０，除塵ユニット体１００、および、回転伝達機構２５０については、図７等を用いて後記する。
【００４１】
区画壁７００の後方には、吸引力を発生させる電動送風機５０３と、電源コード巻取り装置５０１が配置されている。電源コード巻取り装置５０１は、電動送風機５０３等に電流を加えるための電源コード５０２を巻き取るための装置であり、電源コード５０２を巻くコードリール５０１ａと、電源コード５０２をコードリール５０１ａに巻き取るための動力として利用される、巻取りゼンマイバネ５０１ｂを有する。コードリール５０１ａの内側面部には、回転伝達機構２５０を駆動させるためのコードリール歯車５０２ｃが設けられている。
【００４２】
電動送風機５０３は、電動送風機５０３の吸込口が前側に位置するように配置される。なお、電動送風機５０３と電源コード巻取り装置５０１とは、掃除機本体２０４の内部において、左右方向に並んで配置されている。
【００４３】
また、電動送風機５０３の上方には、電動送風機５０３の回転速度等を制御する制御基板５１４が配置されている。
【００４４】
ここで、電気掃除機２００の動作について説明する。
【００４５】
電気掃除機２００は、掃除機本体２０４に内蔵された電動送風機５０３を駆動させることにより、吸口２０１または吸込具２０６から塵埃を含む空気が吸引される。
【００４６】
吸引された塵埃を含む空気は、延長管２０２およびホース２０３を介して、掃除機本体２０４の本体吸気口２１１から掃除機本体２０４に内蔵された集塵ケース４０１に流入する。流入した塵埃を含む空気は、集塵ケース４０１において塵埃が捕集さる。
【００４７】
塵埃を除去した空気は、区画壁７００の開口部７１０から電動送風機５０３に吸引される。電動送風機５０３から吐出された空気の一部は、電源コード巻取り装置５０１の電源コード５０２に吹き付け、電源コード５０２を冷却する。
【００４８】
そして、掃除機本体２０４の排気口２１２から外部へ排気される。また、その他の吐出された空気は制御基板５１４などを冷却し、掃除機本体２０４の排気口２１２から排気される。
【００４９】
＜集塵ケース４０１＞
次に、集塵ケース４０１について図４から図６を用いて説明する。
【００５０】
図４は、本発明の実施例の集塵ケースの外観斜視図、図５は、本発明の実施例の集塵ケースの中央断面図、図６は、本発明の実施例に係る集塵ケースの背面図である。
【００５１】
図４、および図５に示すように、集塵ケース４０１は、略筒状のケース部材４１１と、このケース部材４１１の前部には回動可能に設けられた蓋部材４１２とを備え、ケース部材４１１の内部には、空気と塵埃とを分離するメッシュ状の集塵フィルター４２０ａを有するサイクロン集塵室４２０を備えている。また、ケース部材４１１の後部には、濾過フィルター体４０２が設けられている。ケース部材４１１の前部開口は、蓋部材４１２によって閉塞され、ケース部材４１１の後部開口は、濾過フィルター体４０２によって閉塞されている。
【００５２】
ケース部材４１１の上面前端には、蓋部材４１２の蓋開き解除用の操作ボタン４１３が設けられている。また、操作ボタン４１３の後方には、集塵ケース４０１を把持するためのハンドル４１６が設けられている。
【００５３】
操作ボタン４１３は、略中央部において左右に突設された図示しない支軸部を支点として回動可能に設けられており、後端に設けられた押圧操作部４１３ａを指で押すことにより、前端側に設けられたフック部４１３ｂが蓋部材４１２の前面上端に設けられた係止部４１２ｅから外れて、ケース部材４１１の前端下部に設けられた前ヒンジ部４１１ａを蝶番として、蓋部材４１２が開くようになっている。
【００５４】
蓋部材４１２が開かれた状態では、ケース部材４１１の前部開口を通じて、ケース部材４１１内のサイクロン集塵室４２０が前方に突出するようになっている。
【００５５】
蓋部材４１２の中央部に開口形成された流入口４１２ａは、ホース２０３に連通しており、この流入口４１２ａを通じて、塵埃を含む空気が集塵ケース４０１内に流れ込むようになっている。なお、流入口４１２ａには、その後端開口を閉塞する逆止弁４１２ｂが設けられている。逆止弁４１２ｂは、合成ゴムなどの弾性材料からなる。
【００５６】
サイクロン集塵室４２０は、ケース部材４１１内に配置され、大きめの粗塵を捕集するメッシュ状の集塵フィルター４２０ａを有している。サイクロン集塵室４２０は支骨によって形成され、集塵フィルター４２０ａは、金属やナイロンなどで構成され、サイクロン集塵室４２０の開口以外の面に被覆または貼着されている。
【００５７】
以上から、サイクロン集塵室４２０は、流入口４１２ａから流入してくる塵埃を含む空気内の塵埃を捕集するようになっており、サイクロン集塵室４２０で捕集された綿ごみなどの比較的大きい繊維塵等は、サイクロン塵埃室４２０を通過する空気流により、圧縮された固まりとなり易い。またサイクロン集塵室４２０内で圧縮されて固まりとなった繊維塵等により、サイクロン集塵室４２０に流入した微細な塵埃の一部も捕集される。
【００５８】
サイクロン集塵室４２０内に捕集された繊維塵等は、操作ボタン４１３の後端に設けられた押圧操作部４１３ａを指で押すことにより、蓋部材４１２が前方向へ開き、サイクロン集塵室４２０が前方に突出することにより、集塵ケース４０１から外部へ排出することができる。
【００５９】
この際、サイクロン集塵室４２０に捕集された塵埃は空気流により、圧縮された固まりとなり易く、サイクロン集塵室４２０から開口を通じて排出する際も固まり状となって排出される。これにより、サイクロン集塵室４２０に設けたメッシュ状の集塵フィルター４２０ａには、塵埃の付着や絡み付きが少なく、目詰まりが生じにくい。このため、サイクロン集塵室４２０に溜まった塵埃を捨てるだけで、集塵フィルター４２０ａの除塵の手間を防ぐことができる。
【００６０】
濾過フィルター体４０２は、ケース部材４１１の下部に設けられた後ヒンジ部４１５を蝶番として、ケース部材４１１に対して回動可能であり、開閉自在に設けられている。通常、濾過フィルター体４０２は、ケース部材４１１の上部に設けられた係止部４１７のフックによって閉状態に係止されている。
【００６１】
濾過フィルター体４０２は、集塵ケース４０１の下流側に位置して、サイクロン集塵室４２０を通過した細かな微細塵を濾過捕集するようになっている。サイクロン集塵室４２０の集塵フィルター４２０ａの目開きは、通気性を良くするため、濾過フィルター体４０２の濾過フィルター４０２ａの目開きよりも粗くなっている。したがって、サイクロン集塵室４２０にて集塵できなかった大量の微細塵は、濾過フィルター体４０２にて捕集される。
【００６２】
集塵ケース４０１の下部には細塵集塵室４１８を設ける。濾過フィルター体４０２にて捕集された微細塵は、後述する除塵機構の打撃振動により、集塵ケース４０１内下部に落ち込んで細塵集塵室４１８に集塵される。これにより、除塵された微細塵の飛散を生じ難くし、濾過フィルター４０２ａへの再付着を防止することができる。
【００６３】
図６は、本発明の実施例に係る集塵ケースの背面図である。
【００６４】
図６に示すように、濾過フィルター体４０２は、ケース部材４１１の後部に設けられており、波形のプリーツ加工された濾過フィルター４０２ａを備えている。濾過フィルター４０２ａは、平面状のものが波状に折られた状態で、濾過フィルター体４０２の枠体と一体に形成される。
【００６５】
吸込仕事率は風量と真空度の積によって換算される。これにより、吸込仕事率の向上を図るためには、風量の増量が必要である。風量の増量を図るためには、濾過フィルター体４０２を通過する通気風量を増やすため、濾過フィルター４０２ａの総面積をできるだけ大きくすることにより、達成することができる。しかし、集塵ケース４０１等の大きさには使い勝ってなどによる制限がある。小さい形状で濾過フィルター４０２ａの総面積を大きくするための方法として、濾過フィルター４０２ａの平面状のものを波状に折ることは周知の方法である。本発明においても、波状に折った濾過フィルター４０２ａを、濾過フィルター体４０２として集塵ケース４０１に設けている。
【００６６】
集塵ケース４０１の後部に濾過フィルター体４０２が装着された状態において、濾過フィルター４０２ａのうち集塵ケース４０１の内側を向いている面が上流面（前面）であり、濾過フィルター４０２ａのうち集塵ケース４０１の外側を向いている面が下流面（後面）である。濾過フィルター４０２ａは、元は平面状であることから、濾過フィルター４０２ａの上流面の山部は、下流面の谷部に相当し、濾過フィルター４０２ａの上流面の谷部は、下流面の山部に相当する。サイクロン集塵室４２０にて集塵できなかった微細塵は濾過フィルター４０２ａの上流面の谷部に溜まりやすい。
【００６７】
濾過フィルター４０２ａは、上流面側にＰＴＦＥ（Polytetra fluoro ethylene：ポリテトラフルオロエチレン）加工がされている。これにより、通気性と集塵性を確保しつつ、濾過フィルター４０２ａに堆積する塵埃との摩擦係数を下げて、後述する除塵機構を動作させ叩き除塵をする際、濾過フィルター４０２ａから塵埃が剥がれ落ちやすくすることができ、除塵性能を向上させることができる。
【００６８】
また、濾過フィルター４０２ａの下流面側の下端部には、被除塵部４０２ｂ，４０２ｃ，４０２ｄが形成されている。被除塵部４０２ｂ，４０２ｃ，４０２ｄは、濾過フィルター４０２ａの頂部に形成された樹脂製の突起であり、これらを設けることにより、除塵機構を動作させる際、除塵ユニット体１００が被除塵部４０２ｂ，４０２ｃ，４０２ｄを叩くので、濾過フィルター４０２ａをいためることを防止することができる。
【００６９】
＜回転伝達機構２５０＞
回転伝達機構２５０の動作について、図３，図７、および図８を用いて説明する。
【００７０】
図７は、本発明の実施例に係る回転伝達機構２５０、および除塵ユニット体１００を有した状態の区画壁７００の正面図である。図８は、本発明の実施例に係る回転伝達機構、および除塵ユニット体を有した図７のＡ−Ａ線断面図である。
【００７１】
図３に示すように、電源コード巻取り装置５０１は、区画壁７００に有する回転棒体２５１の背面側に設置される。また、電源コード巻取り装置５０１のコードリール５０１ａの内側面部に有するコードリール歯車５０２ｃは、区画壁７００に有する中間歯車２５２と噛み合うように配置される。これにより、使用者が電源コード巻取り装置５０１から電源コード５０２を引き出すことにより、コードリール５０１ａが回転する。それに連動し、コードリール５０１ａの回転力は、コードリール歯車５０１ｃから区画壁７００に有する中間歯車２５３に伝達される。
【００７２】
図７に示すように、中間歯車２５３は、除塵歯車２５２と噛み合うように配置される。除塵歯車２５２は、回転棒体２５１の端部に連結するように取り付けられている。使用者によって中間歯車２５３に伝達された回転力は、除塵歯車２５２を介して、回転棒体２５１に回転力が伝達される。回転棒体２５１のカム突起部２５１ａが除塵突出部７０１と摺接することにより、除塵ユニット体１００に有する第１除塵子１０１、および第２除塵子１０２が作動する。
【００７３】
図８に示すように、回転棒体２５１の内部には、電源コード５０２の引き出し方向に、コードリール５０１ａが回転したときは回転棒体２５１が回転し、電源コード５０２の巻き取り方向にコードリール５０１ａが回転したときは、回転棒体２５１の回転を停止させるクラッチ機構２６０を有している。
【００７４】
クラッチ機構２６０の動作は、除塵歯車２５２が時計回転方向（電源コード５０２を引き出す方向）に回転した場合、除塵歯車２５２と嵌着するラチェットａ２６１と、回転棒体２５１の内部に嵌入しているラチェットｂ２６２は、ラチェットバネ２６３の反力により枢支され、回転棒体２５１は回転運動する。逆に除塵歯車２５２が反時計回転方向（電源コード５０２が巻き取る方向）に回転した場合、除塵歯車２５２と嵌着するラチェットａ２６１と、回転棒体２５１の内部に嵌入しているラチェットｂ２６２は、左右方向に滑動し、除塵歯車２５２は回転しない。以上のクラッチ機構２６０を有することにより、コード巻き取り時には、除塵ユニット体１００に有する第１除塵子１０１、および第２除塵子１０２を作動させないため、コードリール５０１ａに電源コード５０２を巻き取る際の負荷の増加を防止することができる。
【００７５】
＜除塵ユニット体１００＞
次に、除塵ユニット体１００について説明する。図９は、本発明の実施例に係る除塵ユニット体の正面図である。
【００７６】
図９に示すように、除塵ユニット体１００は、除塵支持枠７０２と、除塵支持枠７０２に沿うように、かつ揺動自在に支持される第１除塵子１０１、および第２除塵子１０２とを備えている。除塵支持枠７０２，第１除塵子１０１、および第２除塵子１０２は、区画壁７００に設置された際（図７参照）、開口部７１０の通気を阻害しないよう、粗めの格子状にて形成される。
【００７７】
除塵支持枠７０２は、上側に上係止片８５０、下側に下係止片８５１を備えている。この係止片により、除塵ユニット体１００は区画壁７００に着脱自在に取り付けられる。
【００７８】
第１除塵子１０１は、第１除塵子支軸部１１１と、第１除塵子付勢部１２１と、第１除塵手段部１０１０と、第３除塵手段部１０３０とを備えている。第１除塵子支軸部１１１は、第１除塵子１０１の左右に形成され、除塵支持枠７０２の第１除塵子軸受７１１に嵌入される。このような構成により、第１除塵子１０１は除塵支持枠７０２に対し、第１除塵子支軸部１１１を軸として揺動自在に取り付けられている。
【００７９】
また、第２除塵子１０２は、第２除塵子支軸部１１２と、第２除塵子付勢部１２２と、除塵突出部７０１と、第２除塵手段部１０２０とを備えている。第２除塵子支軸部１１２は、第２除塵子１０２の左右に形成され、除塵支持枠７０２の第２除塵子軸受７１２に嵌入される。このような構成により、第２除塵子１０２は除塵支持枠７０２に対し、第２除塵子支軸部１１２を軸として揺動自在に取り付けられている。
【００８０】
除塵突出部７０１は、カム突起２５１ａ（図７参照）と摺接することにより、第２除塵子１０２を揺動させる部材である。
【００８１】
第１除塵子１０１の第１除塵子付勢部１２１と、除塵支持枠７０２との間には、第１付勢バネ７０４を介在する。また、第２除塵子１０２の第２除塵子付勢部１２２と、除塵支持枠７０２との間には、第２付勢バネ７０５を介在する。第１付勢バネ７０４、および第２付勢バネ７０５は、前方向（濾過フィルター体４０２（図５参照）を打撃する方向）に付勢する。
【００８２】
第１除塵子１０１と第２除塵子１０２との位置関係は、正面から見ると第１除塵子１０１の下端部（第３除塵手段部１０３０）と、第２除塵子１０２の上端部とが重なり、第１除塵子１０１の下端部の裏側と、第２除塵子１０２の上端部の表側を摺接させるように配置する。
【００８３】
以上の構造から、カム突起２５１ａの回転運動は、除塵突出部７０１へ伝達されることにより第２除塵子１０２を回動する。第２除塵子１０２の回動力は、第１除塵手段部１０１０，第２除塵手段部１０２０，第３除塵手段部１０３０に伝達される。
【００８４】
第１除塵手段部１０１０は、濾過フィルター体４０２の被除塵部４０２ｂを、第２除塵手段部１０２０は、濾過フィルター体４０２の被除塵部４０２ｃを、第３除塵手段部１０３０は、濾過フィルター体４０２の被除塵部４０２ｄをそれぞれ叩き、濾過フィルター４０２ａに振動を附与する。
【００８５】
＜除塵ユニット体１００の動作＞
次に、除塵ユニット体１００の動作について説明する。
【００８６】
図１０は、本発明の実施例に係る回転伝達機構２５０、および除塵ユニット体１００の動作を表わした図７のＢ−Ｂ線略断面図である。図１１は、本発明の実施例に係る回転伝達機構２５０、および除塵ユニット体１００の動作を表わした図７のＣ−Ｃ線略断面図である。
【００８７】
図１０、および図１１に示すように、回転棒体２５１は、電源コード５０２を引き出すことにより、Ｂ−Ｂ線略断面図、およびＣ−Ｃ線略断面図方向に見て、矢印Ａに示すよう時計回転方向に回転する。
【００８８】
図１０（ａ）に示すように、回転棒体２５１に形成されたカム突起２５１ａは、回転棒体２５１が時計回転方向に回転することにより、除塵突出部７０１と当接する。
【００８９】
図１０（ｂ）、および図１１（ｂ）に示すように、回転棒体２５１がさらに時計回転方向に回転すると、カム突起２５１ａは除塵突出部７０１と摺接しながら、除塵突出部７０１を前方向に押し上げる。このとき、第２除塵子１０２の上端部の表側は、第１除塵子１０１の下端部の裏側と摺接しているため、第２除塵子１０２は、第２除塵子支軸部１１２を中心に回動し、これと連動して、第１除塵子１０１は、第１除塵子支軸部１１１を中心に回動する。これにより、第１除塵子１０１の下端に有する第３除塵手段部１０３０は、前方向へ回動移動することから、図１１（ｂ）の矢印Ｘに示すように、第３除塵手段部１０３０は、濾過フィルター体４０２の被除塵部４０２ｄを叩き、濾過フィルター４０２ａの略中央側部に振動を附与する。
【００９０】
このとき、第１除塵子１０１と除塵支持枠７０２に介在した第１付勢バネ７０４、および第２除塵子１０２と除塵支持枠７０２に介在した第２付勢バネ７０５は、付勢方向とは逆方向に押し下げる状態となる。
【００９１】
そして、回転棒体２５１がさらに時計回転方向に回転すると、カム突起２５１ａと除塵突出部７０１との当接が解除され、第１付勢バネ７０４、および第２付勢バネ７０５が付勢移動される。
【００９２】
図１０（ｃ）、および図１１（ｃ）に示すように、先ず第１除塵子１０１の上端に有する第３除塵手段部１０３０が、前方向に付勢移動することから、図１１（ｃ）の矢印Ｙに示すように、第１除塵手段部１０１０は、濾過フィルター体４０２の被除塵部４０２ｂを叩き、濾過フィルター４０２ａの略上側部に振動を附与する。
【００９３】
また、図１０（ｄ）、および図１１（ｄ）に示すように、第２除塵子１０２の下端に有する第２除塵手段部１０２０が、前方向に付勢移動することから、図１０（ｄ）の矢印Ｚに示すように、第２除塵手段部１０２０は、濾過フィルター体４０２の被除塵部４０２ｃを叩き、濾過フィルター４０２ａの略下側部に振動を附与する。
【００９４】
第１除塵手段部１０１０と第２除塵手段部１０２０の付勢移動には時間差が生じる。これは、第１除塵子１０１と第１除塵子支軸部１１１との距離と、第２除塵子１０２と第２除塵子支軸部１１２との距離に差があるからである。
【００９５】
これら一連の動作により、濾過フィルター４０２ａを叩き除塵され、濾過フィルター４０２ａに蓄積した微細塵が除塵される。
【００９６】
＜除塵ユニット体１００の着脱＞
次に、除塵ユニット体１００の着脱について、図９、および図１２を用いて説明する。図１２は、本発明の実施例に係る区画壁７００、および除塵ユニット体１００の斜視図である。
【００９７】
図９、および図１２に示すように、除塵ユニット体１００には、上部に上係止片８５０、下部には下係止片８５１を設けている。上係止片８５０は、除塵支持枠７０２と一体に成型された上下方向に弾性を持つ弾性体であり、区画壁７００に有する上係止孔７１１に嵌入する。下係止片８５１は、除塵支持枠７０２と一体に成型された凸部であり、区画壁７００に有する下係止孔７１２に挿入する。これにより、除塵ユニット体１００は着脱自在になっている。
【００９８】
保護フィルター７６０は、除塵ユニット体１００と区画壁７００との間に介在し、除塵ユニット体１００によって狭持される。保護フィルター７６０は、濾過フィルター４０２ａから抜け出た微細塵を捕集することや、異物が電動送風機５０３内に吸い込まれるのを防止することを目的としている。また、保護フィルター７６０の表面には、細菌の増殖を抑制するための光触媒を表面に加工している。
【００９９】
除塵ユニット体１００を着脱自在としたことにより、除塵ユニット体１００、および保護フィルター７６０の手入れが容易となる。
【０１００】
以上の構成により、除塵ユニット体１００は、区画壁７００に設置された際においても、開口部７１０の通気を阻害しないよう、粗めの格子状にて形成したことから、通気が損なわれず、吸込仕事率の向上を図ることができる。
【０１０１】
また、特許文献１に開示された除塵機構と比較して、電動送風機５０３への開口部７１０の面積比が１２５％と大きくなり、電動送風機５０３へ吸い込まれる空気がより良好となることにから、吸込仕事率の向上を図ることができる。
【０１０２】
また、第１除塵手段部１０１０，第２除塵手段部１０２０，第３除塵手段部１０３０は、濾過フィルター４０２ａの横幅にわたり、横に長く延びた第１除塵子１０１、および第２除塵子１０２にて行うことにより、濾過フィルター４０２ａの広範囲にわたり除塵することができる。
【０１０３】
また、第１除塵手段部１０１０は濾過フィルター４０２ａの略上側部に、第２除塵手段部１０２０は濾過フィルター４０２ａの略下側部に、第３除塵手段部１０３０は濾過フィルター４０２ａの略中央側部に除塵振動を附与することから、濾過フィルター４０２ａ全体を除塵することができる。
【０１０４】
また、除塵手段は３手段あるが、濾過フィルター４０２ａに振動を附与する除塵機構は、濾過フィルター４０２ａに衝撃を与えるもののみであることから、除塵機構としては１種類で賄っていることにより、除塵するための動力源である電源コード５０２の引き出し力の軽減が図れる。
【０１０５】
また、第１除塵手段部１０１０，第２除塵手段部１０２０，第３除塵手段部１０３０の除塵作用に時間差を設けたことにより、先ず濾過フィルター４０２ａの略中央側部に除塵振動を附与し、濾過フィルター４０２ａ全体を除塵する。次に濾過フィルター４０２ａの略上側部に除塵振動を附与し、略下方向に塵埃を落とす。最後に濾過フィルター４０２ａの略下側部に除塵振動を附与し、濾過フィルター４０２ａ下部に溜まった塵埃を、集塵ケース４０１の細塵集塵室４１８へ塵埃を集塵する。これにより、ムラ無く、塵埃の再付着が生じにくい除塵効果を得ることができる。
【０１０６】
また、回転棒体２５１が１回転する間に、第１除塵手段部１０１０，第２除塵手段部１０２０，第３除塵手段部１０３０の３つの除塵手段が一動作を行うことに連動し、連なって各一動作を行って濾過フィルター４０２ａに除塵振動を附与することから、効率のよい除塵効果が得られる。
【０１０７】
また、除塵ユニット体１００は着脱可能とすることから、掃除工程を終了毎に保護フィルターを清掃することができ、除塵ユニット体１００や、除塵ユニット体１００と区画壁７００との間に介在する保護フィルター７６０の手入れが容易にできる。
【０１０８】
また、保護フィルター７６０には、抗菌作用を付加することにより、微細塵埃から発生する悪臭の低減を図ることができる。
【０１０９】
なお、本発明は、コードリール５０１ａの回転力の動力によって除塵するもの以外に、モータや電磁コイルによって自動で除塵するものにも適用可能である。
【符号の説明】
【０１１０】
１００  除塵ユニット体
１０１  第１除塵子
１０２  第２除塵子
２００  電気掃除機
２０４  掃除機本体
２５０  回転伝達機構
４０１  集塵ケース
４０２  濾過フィルター体
４０２ａ  濾過フィルター
５０１  電源コード巻取り装置
５０１ｃ  コードリール歯車
５０２  電源コード
５０４  電動送風機室
７００  区画壁
７０１  除塵突出部
７０２  除塵支持枠
７０４  第１付勢バネ
７０５  第２付勢バネ
７１０  開口部
７６０  保護フィルター
１０１０  第１除塵手段部
１０２０  第２除塵手段部
１０３０  第３除塵手段部
【図１】
2013009880.tif 000003
【図２】
2013009880.tif 000004
【図３】
2013009880.tif 000005
【図４】
2013009880.tif 000006
【図５】
2013009880.tif 000007
【図６】
2013009880.tif 000008
【図７】
2013009880.tif 000009
【図８】
2013009880.tif 000010
【図９】
2013009880.tif 000011
【図１０】
2013009880.tif 000012
【図１１】
2013009880.tif 000013
【図１２】
2013009880.tif 000014